(57)【特許請求の範囲】
【請求項１】
関心領域内の複数のチャンネル又はコード用の信号特性の表示方法であって、
複数のストライプを有する単一の状態リボンを表示し、
上記ストライプの各々が、上記関心領域内の少なくとも１つのチャンネル又はコードを表すと共に、上記少なくとも１つのチャンネル又はコードを表す単一の値に応じた単一の色又は輝度を有することを特徴とする信号特性表示方法。
【請求項２】
上記色又は輝度は、少なくとも１つのチャンネルの信号パラメータの測定値を表し、上記関心領域は、複数チャンネルの周波数範囲であることを特徴とする請求項１の信号特性表示方法。
【請求項３】
上記色又は輝度は、少なくとも１つのチャンネルの信号パラメータの状態を表し、上記関心領域は、複数チャンネルの周波数範囲であることを特徴とする請求項１の信号特性表示方法。
【請求項４】
追加的な詳細が望まれるチャンネルのサブセットを包囲するドラッグ可能なウィンドウを更に表示し、上記関心領域が複数チャンネルの周波数範囲であることを特徴とする請求項１の信号特性表示方法。
【請求項５】
上記色又は輝度は、少なくとも１つのコードに対するアクティビティを表し、上記関心領域は、デジタル通信無線周波数チャンネルであることを特徴とする請求項１の信号特性表示方法。
【請求項６】
追加的な詳細が望まれるコードのサブセットを包囲するドラッグ可能なウィンドウを更に表示し、上記関心領域がデジタル通信無線周波数チャンネルであることを特徴とする請求項１の信号特性表示方法。
【発明の詳細な説明】
【０００１】
【発明の属する技術分野】
本発明は、一般に、信号特性の表示に関し、特に、複数のチャンネル又はコードに対する信号特性を示す状態リボンによる信号特性表示及びその方法に関する。
【０００２】
【従来の技術】
周波数帯域は、ケーブル・テレビジョン・システムにおける内容のように、多くのコンテンツ（内容）を含んでおり、また、単一のデジタル通信無線周波数（ＲＦ）チャンネルは、無線電話システムにおける如き多くのコードを含んでいる。係るシステムの状態を迅速に評価しようとする操作者は、各チャンネル又はコードに対して、パワー又は他の測定パラメータを走査（探査）する方法を好み、単一の表示にて、その結果を観察する。ケーブル・テレビジョン・システムの多チャンネル用のパワーの単一表示は、ポータブル・スペクトラム・アナライザに関するアメリカ合衆国特許第４６８５０６５号に開示されている。このインプリメンテーションにおいて、単一表示は、バー・グラフから構成されている。ここでは、チャンネル番号が水平軸に沿い、パワーが垂直軸に沿い、バーの高さが各チャンネルの相対パワーを示している。この表示は、単一のビュー（表示領域）に詰め込まれたチャンネルの数で限定される。また、このアメリカ合衆国特許は、操作者が容易に解釈できるように、測定値をパス／フェイル（合格／不合格）値に変換する必要性を伴っていない。
【０００３】
【発明が解決しようとする課題】
多くのコンテンツ「コード」を有するデジタル通信ＲＦチャンネルにおいて、操作者は、各コードのアクティビティ（活動）を走査（探査）し、その結果を単一の表示器上で観察したいかもしれない。しかし、表示器が水平方向に有するピクセルの数よりも多くのコードが存在するかもしれない。従来技術では、単一の指示器で多数のコードを表すことができなかった。
【０００４】
多数のチャンネル又はコード（チャンネル／コード）の信号特性を示す別の表示が望まれている。かかる表示は、より多くのチャンネル／コードを単一のビューに小型化し、測定値を合格／不合格に解釈して、操作者が直感的に判るようにしたり、又は、代わりに、ＲＦチャネル内の多くのコードを単一のビューに小型化して、単一の指示器が多数のコードを表すようにしている。
【０００５】
したがって、本発明は、複数のチャンネル／コードの信号特性を単一のビューに小型化して表す信号特性表示方法を提供するものである。
【０００６】
【課題を解決するための手段】
本発明は、関心領域内の複数のチャンネル又はコード用の信号特性を表示する方法であって；複数のストライプ（１２）を有する単一の状態リボン（１０）を表示し；ストライプ（１２）の各々が、関心領域内の少なくとも１つのチャンネル又はコードを表すと共に、少なくとも１つのチャンネル又はコードを表す単一の値に応じた単一の色又は輝度を有することを特徴としている。
なお、本発明の一実施例では、上記色又は輝度が、少なくとも１つのチャンネルの信号パラメータの測定値を表し、関心領域は、複数チャンネルの周波数範囲である。また、本発明の他の実施例では、上記色又は輝度が、少なくとも１つのチャンネルの信号パラメータの状態を表し、関心領域は、複数チャンネルの周波数範囲である。さらに本発明の他の実施例では、追加的な詳細が望まれるチャンネルのサブセットを包囲するドラッグ可能な（移動可能な）ウィンドウ（１４）を更に表示し、関心領域が複数チャンネルの周波数範囲である。本発明の別の実施例では、上記色又は輝度が、少なくとも１つのコードに対するアクティビティを表し、関心領域は、デジタル通信無線周波数チャンネルである。また、本発明の他の実施例では、追加的な詳細が望まれるコードのサブセットを包囲するドラッグ可能なウィンドウ（１４）を更に表示し、関心領域がデジタル通信無線周波数チャンネルである。状態リボン（１０）は、同じ幅の上記複数のストライプ（１２）を隣接させた帯として構成される。
【０００７】
本発明は、複数のチャンネル／コードの信号特性を小型に表示する単一の状態リボン（状態を示すリボン状、即ち、帯状の表示）を提供する。この状態リボンは、関心のある周波数範囲内のチャンネル、又は、デジタル通信ＲＦチャンネル内のコードを表す複数のストライプ（細長い片）を有する。各ストライプの色又は輝度は、値の範囲、合格／注意／不合格状態値、コード・アクティビティ、パワー（最大又は平均）、拡散因子などのチャンネル（単一又は複数）やコード（単一又は複数）を表す単一の値を示す。ドラッグ可能な（引きずって移動可能な）ウィンドウを設けて、追加的な詳細（細部）に対して、隣接するストライプのサブセット（部分集合）を選択してもよい。このサブセットは、状態リボンの近傍に逐語（テキスト）的に表示されてもよいし、チャンネル数、周波数、信号標準などを含んでもよい。また、多数のチャンネル／コードを表わすストライプに対して、追加的な拡大状態リボン（１０’）を表示して、分離したストライプとして、ウィンドウ内の各チャンネル／コードを含んでもよい。
【０００８】
本発明の目的、利点、及び新規な特徴は、添付図を参照した以下の詳細な説明から理解できよう。
【０００９】
【発明の実施の形態】
以下の説明では、測定機器が測定した測定値を、マイクロプロセッサがソフトウェアに従って処理し、この処理結果を表示装置に表示している。本発明は、この際の表示自体に特徴がある。なお、測定機器の測定結果をどのように表示するかが決まれば、それを表示することが当業者にとって容易であるので、表示アルゴリズムの説明は省略する。図１は、本発明による多チャンネル用信号パラメータを表示する状態リボンの平面図である。状態リボン１０は、垂直ストライプ１２の帯を有しており、各ストライプが、関心のある周波数範囲（関心領域）内の１つ以上のチャンネル、又は、単一のデジタル通信ＲＦチャンネル内の１つ以上のコードに関係している。ストライプの色又は輝度（明るさ）が、最大パワー又は平均パワーなどの単一又は複数のチャンネル／コード用の信号パラメータの値を示したり、各ストライプがカバーするコードにおけるアクティビティの有無の値（状態）を示している。この値は、合格／注意／不合格の如き変換された状態値や、色勾配（色変化）に応じたスカラー値として示される。例えば、図示のグレー・スケールの場合、「白」が「合格」を示し、「灰色（斜線）」が「注意」を示し、「黒」が「不合格」を示してもよい。この代わりに、「白」が３ｄＢ以上の値を示し、「灰色」が０〜３ｄＢの間の値を示し、「黒」が０ｄＢ未満の値を示してもよい。色で表す場合、「緑」が「合格」を表し、「黄色」が「注意」を表し、「赤」が「不合格」を表してもよい。また、この代わりに、色が特定のパワー・レベルや、コード・アクティビティ・レベルを表してもよい。
【００１０】
最も圧縮したリボン１０では、各ストライプ１２は、任意のデシメーション方法（間引き方法）により、上述した如く、多彩なチャンネル／コードを表してもよい。この場合、これらストライプがパワーを表せば、いくつかのチャンネル／コードを表す単一のストライプが、いくつかのチャンネル／コードにおける最大パワー又は平均パワーを表示してもよい。ストライプが合格／不合格を示すならば、含まれたチャンネル／コードの任意のものが「不合格」の場合にデシメーション方法が「不合格」を示し、総てが「合格」の場合にデシメーション方法が「合格」を示す。リボン内でテキスト表又はズーム（拡大／縮小）された拡張ビューは、デシメーションにより隠されたチャネル／コード毎の状態を観察するのに有用である。
【００１１】
追加的に、隣接する１組のストライプ１２の周囲に、ドラッグ可能な（引きずって移動可能な）ボックス（ウィンドウ）１４又は他の視認可能なデバイス（要素）を設けて、ユーザが、追加的に細部を観察するために、関心のある周波数範囲内のチャンネルのサブセット、又は、単一チャネル内のコードのサブセットを選択できるようにしてもよい。追加的な詳細（細部）には、チャンネル数、信号標準、周波数などや、又は、コード数、パワー、拡散因子などがある。この追加的な細部は、状態リボン１０の傍に表示したテキスト表により表してもよい。さらに、拡大した状態リボン１０’は、各ストライプ１２’が単一のコードのみを示すように表示してもよい。また、線又はバー・グラフは、ウィンドウ１４により指示された拡大領域内の個別のチャンネル／コードの各々に対して、拡大された詳細値を表示するようにしてもよい。
【００１２】
よって、本発明によれば、状態リボンは、各チャンネル／コードに対する、又は、チャンネル／コードの各デシメーション・グループに対するストライプを有しており、各ストライプの色又は輝度が、信号パラメータの値、又は合格／注意／不合格を示す。
【００１３】
【発明の効果】
上述の如く本発明によれば、少なくとも１つのチャンネル又はコードを表す単一の値に応じた単一の色又は輝度をそれぞれ有する複数のストライプを一体にして構成される単一の状態リボンを表示する。更に、追加的な詳細が望まれるチャンネル又はコードのサブセットを包囲するドラッグ可能なウィンドウを更に表示し、これに応じて追加的な拡大状態リボンを表示し、更に詳細な情報を表示しても良い。これらによって、複数のチャンネル又はコードの信号特性を単一のビューに小型化して、その信号特性を表示することができる。よって、操作者は、限られた表示領域で多くの測定結果を評価できる。
【図面の簡単な説明】
【図１】本発明による多チャンネル用信号パラメータを表示する状態リボンの平面図である。
【符号の説明】
１０  状態リボン
１２  ストライプ
１４  ボックス（ウィンドウ）
【図１】
0003929266.tif 000002